(57)【要約】【課題】照明器具等の電気器具の着脱を容易に行うことができるとともに、着脱を繰り返しても美観を損なうことがない電気器具取付け装置を提供する。【解決手段】基板３の一方の面に電極板４が積層され、電極板４の基板３側の面に一対の配線部９ａ、９ｂが設けられ、基板３の他方の面に吸着板５が積層され、吸着板５及び基板３を貫通して設けられる第１取付け穴６ａと第２取付け穴６ｂとが設けられた取付け板２と、取付け板２の吸着板５側に設けられ電気器具取付け部１１と、電気器具取付け部１１に設けられ、第１取付け穴６ａ及び第２取付け穴６ｂ内に挿脱可能な複数のピン部１５ａ、１５ｂと記電気器具取付け部１１に設けられ、電気器具取付け部１１を吸着板５に磁力により吸着させるための磁石２７と、一部のピン部１５ａに設けられて一方の配線部９ａに電気的に接続される第１給電部１７ａと、他のピン部１５ｂに設けられて他方の配線部９ｂに電気的に接続される第２給電部１７ｂとからなるコネクタ１０とを備える。【選択図】図２
2009087675.tif 000002
【特許請求の範囲】
【請求項１】
絶縁体からなる基板の一方の面に電極板が積層され、該電極板の前記基板側の面に所定のパターンの一対の配線部が設けられ、前記基板の他方の面に磁石に吸着される性質を有する吸着板が積層され、前記吸着板及び前記基板を貫通して、前記一対の配線部のうちの一方の配線部に対応する位置に設けられる第１取付け穴と、前記吸着板及び前記基板を貫通して、前記一対の配線部のうちの他方の配線部に対応する位置に設けられる第２取付け穴とが設けられ、前記一対の配線部が電源に電気的に接続される取付け板と、
前記取付け板の吸着板側に設けられ、電気器具が取り付けられる電気器具取付け部と、該電気器具取付け部に一体に設けられるとともに、前記第１取付け穴及び第２取付け穴内に挿脱可能な複数のピン部と、前記電気器具取付け部に設けられ、該電気器具取付け部を前記吸着板に磁力により吸着させるための磁石と、前記複数のピン部のうちの一部のピン部の先端に設けられるとともに、該一部のピン部が前記第１取付け穴内に挿入された状態で前記一方の配線部に電気的に接続される第１給電部と、前記複数のピン部のうちの他のピン部の先端に設けられるとともに、該他のピン部が前記第２取付け穴内に挿入された状態で前記他方の配線部に電気的に接続される第２給電部とからなるコネクタとを備え、
前記両給電部に前記電気器具が電気的に接続されることを特徴とする電気器具取付け装置。
【請求項２】
前記磁石は、前記電気器具取付け部の前記吸着板との対向面に設けられた溝内に設けられ、該磁石の磁力によって前記電気器具取付け部の一部が前記吸着板に吸着されることを特徴とする請求項１に記載の電気器具取付け装置。
【請求項３】
前記第１給電部は、前記複数のピン部のうちの一部のピン部の先端部に設けられた溝内に付勢部材を介して設けられ、前記第２給電部は、前記複数のピン部のうちの他のピン部の先端部に設けられた溝内に付勢部材を介して設けられ、前記付勢部材の付勢力によって前記第１給電部が前記一方の配線部に圧接され、前記第２給電部が前記他方の配線部に圧接されていることを特徴とする請求項１又は２に記載の電気器具取付け装置。
【請求項４】
前記複数のピン部のうちの一部のピン部と他のピン部との大きさ、又は形状を異ならせるとともに、それに対応させた大きさ、又は形状の第１取付け穴及び第２取付け穴を前記取付け板に設けることを特徴とする請求項１から３の何れかに記載の電気器具取付け装置。
【請求項５】
前記取付け板は、空間内の天井部、壁部、又は床部に設けられていることを特徴とする請求項１から４の何れかに記載の電気器具取付け装置。
【発明の詳細な説明】
【技術分野】
【０００１】
本発明は、電気器具取付け装置に関し、特に、空間（建物、自動車等の空間）内の天井部、壁部、床部等に照明器具等の電気器具を着脱自在に取り付けるのに有効な電気器具取付け装置に関する。
【背景技術】
【０００２】
一般に、建物の例えば天井部に照明器具を取り付ける場合には、予め、天井部のパネルの所定の位置に配線用孔を設け、この配線用孔から天井裏に敷設されている電線を引き出し、この引き出した電線に照明器具を電気的に接続することで、照明器具を取り付けている。
【０００３】
このような照明器具は、建物内のレイアウトの変更等によって他の位置に移動させる場合に、新たにパネルに配線用孔を設け、この配線用孔から天井裏に敷設されている電線を引き出し、この引き出した電線に取り外した照明器具を電気的に接続している。
【０００４】
このため、パネルに新たに配線用孔を設ける作業や、新たに設けた配線用孔から天井裏の電線を引き出す作業等の作業が必要になり、それらの作業に非常に手間かかかることになる。また、照明器具を取り外した後のパネルに配線用孔が残って美観を損なうことになるため、元の配線用孔を塞ぐ作業も必要になり、その作業にも手間がかかることになる。
【０００５】
一方、特許文献１には、基板の両面に印刷又はエッチングによりプリント配線して電路を形成し、電路の適宜な箇所にコネクタピンを挿入するピン挿入孔を形成し、このピン挿入孔内にコネクタピンを電気的に接続するように構成した発明が開示されており、このような技術を照明器具の天井部等への着脱に適用することも考えられる。
【特許文献１】実開昭５６−８６７７３号公報
【発明の開示】
【発明が解決しようとする課題】
【０００６】
しかし、特許文献１に開示されている技術では、コネクタピンを電路に電気的に接続する際にハンダ付け作業が必要になるとともに、照明器具を天井部等に支持するための機構が必要になるため、この技術をそのまま天井部等への照明器具の着脱に適用することはできない。
【０００７】
本発明は、上記のような従来の問題に鑑みなされたものであって、照明器具等の電気器具の着脱を容易に行うことができるとともに、照明器具等の電気器具を他の位置に移動させても美観を損なうようなことがない、電気器具取付け装置を提供することを目的とする。
【課題を解決するための手段】
【０００８】
上記のような課題を解決するために、本発明は、以下のような手段を採用している。
すなわち、請求項１に係る発明は、絶縁体からなる基板の一方の面に電極板が積層され、該電極板の前記基板側の面に所定のパターンの一対の配線部が設けられ、前記基板の他方の面に磁石に吸着される性質を有する吸着板が積層され、前記吸着板及び前記基板を貫通して、前記一対の配線部のうちの一方の配線部に対応する位置に設けられる第１取付け穴と、前記吸着板及び前記基板を貫通して、前記一対の配線部のうちの他方の配線部に対応する位置に設けられる第２取付け穴とが設けられ、前記一対の配線部が電源に電気的に接続される取付け板と、前記取付け板の吸着板側に設けられ、電気器具が取り付けられる電気器具取付け部と、該電気器具取付け部に一体に設けられるとともに、前記第１取付け穴及び第２取付け穴内に挿脱可能な複数のピン部と、前記電気器具取付け部に設けられ、該電気器具取付け部を前記吸着板に磁力により吸着させるための磁石と、前記複数のピン部のうちの一部のピン部の先端に設けられるとともに、該一部のピン部が前記第１取付け穴内に挿入された状態で前記一方の配線部に電気的に接続される第１給電部と、前記複数のピン部のうちの他のピン部の先端に設けられるとともに、該他のピン部が前記第２取付け穴内に挿入された状態で前記他方の配線部に電気的に接続される第２給電部とからなるコネクタとを備え、前記両給電部に前記電気器具が電気的に接続されることを特徴とする。
【０００９】
本発明による電気器具取付け装置によれば、取付け板の第１取付け穴にコネクタの複数のピン部のうちの一部のピン部を挿入し、第２取付け穴に複数のピン部のうちの他のピン部を挿入することにより、電気器具取付け部に設けた磁石の磁力によって電気器具取付け部が吸着板に吸着され、複数のピン部のうちの一部のピン部に設けられた第１給電部が一方の配線部に電気的に接続され、他のピン部に設けられた第２給電部が他方の配線部に電気的に接続される。
そして、電気器具取付け部に取り付けられる電気器具を両給電部に電気的に接続することにより、電源から両配線部及び両給電部を介して電気器具に電力が供給され、電気器具が作動することになる。
この場合、コネクタの複数のピン部のうちの一部のピン部を取付け板の第１取付け穴内に挿入し、他のピン部を第２取付け穴に挿入することで、電気器具取付け部を磁石の磁力によって吸着板に吸着させ、電気器具をコネクタを介して取付け板に取り付けることができるので、電気器具の取付け作業を容易にすることができる。
また、電気器具を他の位置に移動させる場合には、電気器具取付け部を磁石の磁力に抗して吸着板から引き離し、複数のピン部のうちの一部のピン部を第１取付け穴から離脱させ、他のピン部を第２取付け穴から離脱させることでコネクタを取付け板から取り外し、この取り外したコネクタを取付け板の他の位置に移動させ、その位置でコネクタの複数のピン部のうちの一部のピン部を第１取付け穴に挿入し、他のピン部を第２取付け穴内に挿入し、電気器具取付け部を磁石の磁力によって吸着板に吸着させればよいので、電気器具の移動を容易に行うことができる。さらに、電気器具を他の位置に移動させても、電気器具を取り除いた後の第１取付け穴及び第２取付け穴が美観を損なうようなこともない。
【００１０】
請求項２に係る発明は、請求項１に記載の電気器具取付け装置であって、前記磁石は、前記電気器具取付け部の前記吸着板との対向面に設けられた溝内に設けられ、該磁石の磁力によって前記電気器具取付け部の一部が前記吸着板に吸着されることを特徴とする。
【００１１】
本発明による電気器具取付け装置によれば、電気器具取付け部の吸着板との対向面に設けられた溝内に設けられている磁石の磁力により、電気器具取付け部の一部が吸着板に吸着され、複数のピン部のうちの一部のピン部が取付け板の第１取付け穴内に挿入され、他のピン部が第２取付け穴内に挿入された状態に固定されることになる。
【００１２】
請求項３に係る発明は、請求項１又は２に記載の電気器具取付け装置であって、前記第１給電部は、前記複数のピン部のうちの一部のピン部の先端部に設けられた溝内に付勢部材を介して設けられ、前記第２給電部は、前記複数のピン部のうちの他のピン部の先端部に設けられた溝内に付勢部材を介して設けられ、前記付勢部材の付勢力によって前記第１給電部が前記一方の配線部に圧接され、前記第２給電部が前記他方の配線部に圧接されていることを特徴とする。
【００１３】
本発明による電気器具取り付け装置によれば、複数のピン部のうちの一部のピン部の先端部の溝内に付勢部材を介して設けられた第１給電部が付勢部材の付勢力によって一方の配線部に圧接され、他のピン部の先端部の溝内に付勢部材を介して設けられた第２給電部が付勢部材の付勢力によって他方の配線部に圧接され、第１給電部が一方の配線部と電気的に接続され、第２給電部が他方の配線部と電気的に接続されることになる。
【００１４】
請求項４に係る発明は、請求項１から３の何れかに記載の電気器具取付け装置であって、前記複数のピン部のうちの一部のピン部と他のピン部との大きさ、又は形状を異ならせるとともに、それに対応させた大きさ、又は形状の第１取付け穴及び第２取付け穴を前記取付け板に設けることを特徴とする。
【００１５】
本発明による電気器具取付け装置によれば、複数のピン部のうちの一部のピン部側の第１給電部と他のピン部の側の第２給電部との間に例えば直流電源を供給する場合に、極性を間違えることなく一部のピン部を第１取付け穴内に、他のピン部を第２取付け穴内に確実に挿入することができる。
【００１６】
請求項５に係る発明は、請求項１から４の何れかに記載の電気器具取付け装置であって、前記取付け板は、空間内の天井部、壁部、又は床部に設けられていることを特徴とする。
【００１７】
本発明による電気器具取付け装置によれば、取付け板を空間内の天井部、壁部、又は床部に設けることにより、照明器具、火災センサ等の各種の電気器具を天井部、壁部、又は床部の取付け板に着脱させることが可能となる。
【発明の効果】
【００１８】
以上、説明したように、本発明の電気器具取付け装置によれば、取付け板の第１取付け穴内に複数のピン部のうちの一部のピン部を挿入し、第２取付け穴内に他のピン部を挿入することにより、磁石の磁力によって電気器具取付け部を吸着板に吸着させ、コネクタを取付け板に固定でき、コネクタを介して電気器具を取付け板に取り付けることができる。また、電気器具取付け部を磁石の磁力に抗して吸着板から引き離し、複数のピン部のうちの一部のピン部を第１取付け穴から離脱させ、他のピン部を第２取付け穴から離脱させることにより、コネクタを取付け板から取り外すことができ、コネクタに取り付けられる電気器具を取付け板から取り外すことができる。
従って、電気器具の取付け板への着脱を容易に行うことができるので、電気器具を取付け板の他の位置に移動する場合に、新たな配線用孔を設けたり、配線用孔から配線を引き出したりする作業が不要となる。さらに、電気器具を取り外した後に第１取付け穴及び第２取付け穴が残っても、その存在によって美観を損なうようこともない。
また、コネクタを取付け板に取り付けた際に、複数のピン部のうちの一部のピン部側の第１給電部が一方の配線部に電気的に接続され、他のピン部の第２給電部が他方の配線部に電気的に接続されることになるので、第１給電部と一方の配線部との接触面積、及び第２給電部と他方の配線部との接触面積大きくとることができる。
従って、電気器具の作動に必要な電流を確実に通電することができるので、大電流を必要とする電気器具にも十分な電流を確実に通電することが可能となり、各種の電気器具を使用することが可能となる。
【発明を実施するための最良の形態】
【００１９】
以下、図面を参照しながら本発明の実施の形態について説明する。
図１〜図３に示すように、本実施形態の電気器具の取り付け装置は、取付け板とコネクタとを含んで構成されており、図１は取付け板とコネクタとの関係を示す説明図、図２はコネクタを取付け板に取り付けた状態を示す断面図、図３はコネクタと吸着手段との関係を示す説明図である。
【００２０】
すなわち、この電気器具取付け装置１は、空間内（例えば、建物、自動車等の空間内、本実施の形態においては建物とする。）の天井部、壁部等に照明器具、火災センサ等の電気器具を着脱自在に取り付けるとともに、この電気器具に電力を供給するのに有効なものであって、図１及び図２に示すように、建物の天井部、壁部等（本実施の形態では天井部）に設けられる取付け板２と、取付け板２に着脱自在に取り付けられるコネクタ１０と、コネクタ１０を取付け板２に吸着させる吸着手段２５とを備えており、コネクタ１０に電気器具３５が取り付けられるようになっている。
【００２１】
取付け板２は、図１に示すように、合成樹脂等の絶縁性を有する材料からなる板状の基板３と、基板３の一方の面に一体に積層されるとともに、基板３との対向面に所定のパターン（本実施の形態では櫛形状）の一対の配線部９（第１配線部９ａ、第２配線部９ｂ）が設けられる板状の電極板４と、基板３の他方の面に一体に積層される磁石に吸着される性質を有する吸着板５とからなる積層板であって、基板３と電極板４及び吸着板５とは接着剤等の接合手段によってそれぞれ一体に接合されている。
【００２２】
取付け板２には、吸着板５及び基板３を貫通する取付け穴６（第１取付け穴６ａ、第２取付け穴６ｂ）が複数箇所に設けられ、第１取付け穴６ａに第１配線部９ａが対応し、第２取付け穴６ｂに第２配線部９ｂが対応し、第１取付け穴６ａ内に後述するコネクタ１０のピン部１５（第１ピン部１５ａ）が挿脱可能、第２取付け穴６ｂ内に後述するコネクタ１０のピン部１５（第２ピン部１５ｂ）が挿脱可能に構成されている。
【００２３】
取付け板２の電極板４の第１配線部９ａ及び第２配線部９ｂは、配線７を介して個別に電源８に接続され、電源８から電極板４の第１配線部９ａと第２配線部９ｂとの間に所定の直流あるいは交流の電圧が印加されるようになっている。第１配線部９ａ及び第２配線部９ｂ配線部９は、電極板４の表面に印刷配線等によって櫛形状に形成されている。
なお、一対の配線部９（第１配線部９ａ、第２配線部９ｂ）は、櫛形状に限らず他の形状であっても良いし、一対の配線部９（第１配線部９ａ、第２配線部９ｂ）を印刷配線以外の方法で電極板４の表面に形成しても良い。
【００２４】
取付け板２は、天井部の全体に設けてもよいし、天井部の一部に設けてもよい。天井部の全体に設ける場合には、複数枚の取付け板２を組み合わせて天井部の全体を塞ぐようにしてもよい。その場合には、隣接する取付け板２の電極板４〜４の第１配線部９ａ〜９ａ間、及び第２配線部９ｂ〜９ｂ間を電気的に接合するか、あるいは各取付け板２の電極板４の第１配線部９ａ及び第２配線部９ｂをそれぞれ個別に配線７を介して電源８に接続すればよい。
【００２５】
コネクタ１０は、図１〜図３に示すように、照明器具等の電気器具３５が取り付けられる電気器具取付け部１１と、電気器具取付け部１１の上面に一体に立設された複数（本実施の形態では２つ）のピン部１５（第１ピン部１５ａ、第２ピン部１５ｂ）とを備えている。
【００２６】
電気器具取付け部１１は、合成樹脂等の絶縁性を有する材料から形成される例えば円板状をなすものであって、第１ピン部１５ａ及び第２ピン部１５ｂが取付け板２の第１取付け穴６ａ及び第２取付け穴６ｂ内に挿入された状態で取付け板２に取り付けられ、この電気器具取付け部１１の下部に照明器具等の電気器具３５がねじ等の取付け手段によって着脱自在に取り付けられるようになっている。
なお、電気器具取付け部１１は、円板状に限らず、他の形状に形成してもよい。要は、使用する電気器具３５の形状等に応じて適宜の形状に形成すればよい。
【００２７】
第１ピン部１５ａ及び第２ピン部１５ｂは、図１〜図３に示すように、合成樹脂等の絶縁性を有する材料から形成される円柱状をなすものであって、取付け板２の第１取付け穴６ａ及び第２取付け穴６ｂの内径よりも小径、かつ第１取付け穴６ａ及び第２取付け穴６ｂと略同一長さに形成されている。第１ピン部１５ａ及び第２ピン部１５ｂは、電気器具取付け部１１と一体に形成してもよいし、電気器具取付け部１１と別体に形成し、ねじ等の適宜な連結手段によって電気器具取付け部１１に一体に連結するように構成してもよい。
【００２８】
なお、第１ピン部１５ａと第２ピン部１５ｂとの径を異なる寸法に形成し、それに応じた大きさの第１取付け穴６ａ及び第２取付け穴６ｂを取付け板２に形成してもよいし、また、第１ピン部１５ａを円柱状に形成し、第２ピン部１５ｂを第１ピン部１５ａと異なる形状（角柱状等）に形成し、第１ピン部１５ａ及び第２ピン部１５ｂの形状に対応させて取付け板２の第１取付け穴６ａ及び第２取付け穴６ｂを円形状、角形状等に形成してもよい。
【００２９】
このように第１ピン部１５ａ及び第２ピン部１５ｂの径を異ならせたり、形状を異ならせ、それに対応した大きさ、形状の第１取付け穴６ａ及び第２取付け穴６ｂを取付け板２に設けることにより、第１給電部１７ａと第２給電部１７ｂとの間に例えば直流電源を供給する場合に、第１取付け穴６ａ及び第２取付け穴６ｂに対応する第１配線部９ａ及び第２配線部９ｂの極性をそれぞれ挿入される第１ピン部１５ａ及び第２ピン部１５ｂの極性に一致させておくことにより、極性を間違えることなく第１ピン部１５ａ及び第２ピン部１５ｂを所定の第１取付け穴６ａ及び第２取付け穴６ｂ内に挿入させることができる。
【００３０】
吸着手段２５は、電気器具取付け部１１の上面側の周縁部に設けられた溝１１ａ内に一体に設けられる環状の磁石２７と、電気器具取付け部１１の上面側の周縁部の磁石２７の磁力線が及ぶ範囲内に一部が配置される鉄等の磁性体からなる吸着部材２６とからなり、磁石２７の磁力によって吸着部材２６を取付け板２の吸着板５に吸着させることにより、電気器具取付け部１１が取付け板２に取り付けられる。
なお、溝１１ａは、環状に限らず他の形状でもよい。要は、磁石２７を収納可能な形状であればよい。
【００３１】
吸着部材２６は、下端が閉塞された筒状をなすものであって、内側に電気器具取付け部１１を嵌合させた状態で上端部が半径方向内方に屈曲され、この屈曲された部分が電気器具取付け部１１の上面側の周縁部の磁石２７の磁力線が及ぶ範囲内に配置され、この屈曲された部分が吸着板５の表面５ａに磁石２７の磁力によって吸着される吸着部２６ａに構成されている。
なお、吸着部材２６は、上記の形状に限らず、電気器具取り付け部１１を磁石２７の磁力によって吸着板５の表面５ａに吸着させることができる形状であればよい。
【００３２】
第１ピン部１５ａの上端部には、取付け板２の電極板４の第１配線部９ａに接触可能に第１給電部１７ａが設けられている。
第１給電部１７ａは、銅等の導電性を有する材料からなる円板状をなすものであって、第１ピン部１７ａの上端面に設けられた円形状の溝２３内に付勢部材であるばね２４を介して装着され、第１ピン部１７ａを取付け板２の第１取付け穴６ａ内に挿入した状態で、第１給電部１７ａがばね２４の付勢力によって電極板４の第１配線部９ａに圧接され、第１給電部１７ａが電極板４の第１配線部９ａに電気的に接続される。第１給電部１７ａは、第１ピン部１５ａの内部に設けられている配線２０の一端に接続され、この配線２０の他端は電気器具取付け部１１の下部に設けられている端子１２に接続されている。
【００３３】
第２ピン部１５ｂの上端部には、取付け板２の電極板４の第２配線部９ｂに接触可能に第２給電部１７ｂが設けられている。
第２給電部１７ｂは、第１給電部１７ａと同様に、銅等の導電性を有する材料からなる円板状をなすものであって、第２ピン部１５ｂの上端面に設けられた円形状の溝２３内に付勢部材であるばね２４を介して装着され、第２ピン部１５ｂを取付け板２の第２取付け穴６ｂ内に挿入した状態で、第２給電部１７ｂがばね２４の付勢力によって電極板４の第２配線部９ｂに圧接され、第２給電部１７ｂが電極板４の第２配線部９ｂに電気的に接続される。第２給電部１７ｂは、第２ピン部１５ｂの内部に設けられている配線２０の一端に接続され、この配線２０の他端は電気器具取付け部１１の下部に設けられている端子１２に接続されている。
【００３４】
次に、上記のように構成した本実施の形態による電気器具取付け装置１の作用について説明する。
まず、照明器具等の電気器具３５を天井部に取り付けるには、図１に示すように、コネクタ１０を天井部に予め設けられている取付け板２の所定の位置の下方に配置し、その位置で第１取付け穴６ａ及び第２取付け穴６ｂ内に第１ピン部１５ａ及び第２ピン部１５ｂを挿入し、吸着手段２５の磁石２７の磁力によって吸着部材２６の吸着部２６ａを吸着板５に吸着させ、第１ピン部１５ａの上端に設けられている第１給電部１７ａを電極板４の第１配線部９ａに圧接させ、第２ピン部１５ｂの上端に設けられている第２給電部１７ｂを電極板４の第２配線部９ｂに圧接させ、第１給電部１７ａと第１配線部９ａとを電気的に接続し、第２給電部１７ｂと第２配線部９ｂとを電気的に接続する。
【００３５】
そして、電気器具取付け部１１にねじ等の取付け手段によって照明器具等の電気器具３５を取り付け、電気器具３５の電源を電気器具取付け部１１の下部の端子１２に電気的に接続する。
【００３６】
このようにして、天井部の取付け板２に照明器具等の電気器具３５を取り付けることができ、電源８から取付け板２の電極板４の第１配線部９ａと第２配線部９ｂとの間に電圧を印加することにより、電極板４の両配線部９ａ、９ｂから両給電部１７ａ、１７ｂ、及び端子１２を介して照明器具等の電気器具３５に電力が供給され、照明器具等の電気器具３５を作動させることができる。
【００３７】
次に、建物内のレイアウトの変更等によって電気器具３５を天井部の他の位置に移動させる場合には、コネクタ１０から電気器具３５を取り外し、この状態で吸着部材２６の吸着部２６ａを磁石２７の磁力に抗して吸着板５から引き離し、第１ピン部１５ａ及び第２ピン部１５ｂを第１取付け穴６ａ及び第２取付け穴６ｂから離脱させることにより、コネクタ１０を取付け板２から取り外す。その後は、上述した取り付け手順によってコネクタ１０を取付け板２に取り付ける。
【００３８】
上記のように構成した本実施形態による電気器具取付け装置１にあっては、建物の天井部に設けた取付け板２の第１取付け穴６ａ及び第２取付け穴６ｂを利用してコネクタ１０を取付け板２に着脱させることにより、コネクタ１０を介して天井部の所定の位置に照明器具等の電気器具３５を着脱させることができるので、照明器具等の電気器具３５の天井部への着脱を容易に行うことができる。
【００３９】
また、天井部に取り付けた照明器具等の電気器具３５を他の位置に移動させる場合にも、他の位置の第１取付け穴６ａ及び第２取付け穴６ｂを利用してコネクタ１０を取付け板２に着脱させることにより、その位置にコネクタ１０を介して照明器具等の電気器具３５を着脱させることができることになる。
【００４０】
この場合、取付け板２の複数の第１取付け穴６ａ及び第２取付け穴６ｂによって意匠的な効果を醸し出しているので、照明器具等の電気器具３５を取り外した後の第１取付け穴６ａ及び第２取付け穴６ｂによって美観を損なうようなことはなく、また、第１取付け穴６ａ及び第２取付け穴６ｂを塞ぐ作業も不要となる。また、照明器具等の電気器具３５を移動させる位置に新たに配線用孔を設け、その配線用孔から天井裏の配線を引き出したりする作業も不要となるので、照明器具等の電気器具３５の移動に要する手間を大幅に削減することができる。
【００４１】
さらに、第１ピン部１５ａ側の第１給電部１７ａと電極板４の第１配線部９ａとの接触面積、及び第２ピン部１５ｂ側の第２給電部１７ｂと電極板４の第２配線部９ｂとの接触面積を大きくとることができるので、大電流を流すことが可能となり、大電流を必要とする電気器具にも十分に対応することができ、各種の電気器具に対応することが可能となる。
【００４２】
なお、前記の説明においては、電気器具取付け部１１の上面側の溝１１ａ内に磁石２７を設けたが、第１ピン部１５ａ及び第２ピン部１５ｂの上端部に磁石を設けるとともに、第１ピン部１５ａ及び第２ピン部１５ｂの電極板４の第１配線部９ａ及び第２配線部９ｂとの対向面に磁石によって吸着される性質を有する吸着部材を設けて、磁石の磁力により吸着部材を電極板４に着脱させるように構成してもよい。この場合には、電極板４を磁石によって吸着される性質を有する材料で形成すればよい。
【００４３】
また、前記の説明においては、電気器具３５として比較的重量のある照明器具等を例にとって説明したが、ＬＥＤを配置した照明器具のように軽量の照明器具等を電気器具としてもよいものであり、その場合には、電気器具を電気器具取付け部として、電気器具にピン部を一体に設けても良い。
さらに、前記の説明においては、電気器具取付け部１１に２つのピン部１５（第１ピン部１５ａ、第２ピン部１５ｂ）を設けたが、３つ以上のピン部１５を設ける場合には、その一部のピン部１５を前述した第１ピン部１５ａのように構成し、他の一部のピン部１５を前述した第２ピン部１５ｂのように構成すればよい。
【００４４】
さらに、前記の説明においては、本実施の形態による電気器具取付け装置１を建物の天井部に適用した場合について説明したが、建物の壁部、床部等に照明器具や火災センサ等の電気器具を取り付ける場合に適用することもできる。
さらに、自動車等の天井部等に電気器具を取り付ける場合にも適用することができ、その他の各種の空間の天井部等に電気器具を取り付ける場合にも適用可能である。
さらに、例えば、各種の作業テーブルの天板などを上記実施形態の取付け板２の構成とし、電気器具を着脱可能な作業テーブルとしてもよい。
【図面の簡単な説明】
【００４５】
【図１】本発明による電気器具取付け装置の一実施の形態を示した説明図であって、取付け板とコネクタとの関係を示した説明図である。
【図２】コネクタを取付け板に取り付けた状態を示した断面図である。
【図３】コネクタと吸着手段との関係を示した説明図である。
【符号の説明】
【００４６】
１  電気器具取付け装置                ２  取付け板
３  基板                              ４  電極板
５  吸着板                            ５ａ  表面
６  取付け穴                          ６ａ  第１取付け穴
６ｂ  第２取付け穴                    ７  配線
８  電源                              ９  配線部
９ａ  第１配線部                      ９ｂ  第２配線部
１０  コネクタ                        １１  電気器具取付け部
１１ａ  溝                            １２  端子
１５  ピン部                          １５ａ  第１ピン部
１５ｂ  第２ピン部                    １７  給電部
１７ａ  第１給電部                    １７ｂ  第２給電部
２０  配線                            ２３  溝
２４  付勢手段（ばね）                ２５  吸着手段
２６  吸着部材                        ２６ａ  吸着部
２７  磁石                            ３５  電気器具
【図１】
2009087675.tif 000003
【図２】
2009087675.tif 000004
【図３】
2009087675.tif 000005